【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】  下式(I)の化合物及びその塩及びその混合物。
【化１】
2004518794.tif 000001
（上式中、各Ａは独立に−ＮＨ−又は−Ｏ−であり、
Ｂは、
-[-(ＣＨ2)1-4-Ｏ-(ＣＨ2)1-4]4Ｃ、又は
[-(ＣＨ2)1-3-Ｏ-(ＣＨ2)1-3-Ｏ-(ＣＨ2)1-3]4Ｃ、又は
[-(ＣＨ2)1-2-Ｏ-(ＣＨ2)1-2-Ｏ-(ＣＨ2)1-2-Ｏ-(ＣＨ2)1-2]4Ｃ、又は
[-(ＣＨ2)1-4]2Ｎ(ＣＨ2)1-4Ｎ[(-ＣＨ2)1-4]2
より選ばれる基であり、
ｎ’及びｎ”は自然数であり、ｎ’とｎ”の合計は２以上であり、
ｍは０以上の自然数であり、
ＣＣは下式（ａ）
【化２】
2004518794.tif 000002
の部分であり、上式中、Ｒ1はＨ；Ｃ1-4アルキル；ヒドロキシ、ハロゲン、シアノもしくはＣ1-4アルコキシで一置換したＣ1-4アルキルであり、
Ｘ1及びＸ2は独立に、ハロゲン；脂肪族、環式脂肪族、芳香族もしくは複素環アミノ基、このアミノ基はプロトン化可能な窒素原子もしくは４級アンモニウム基を含み、かつ脂肪族、環式脂肪族、芳香族もしくは複素環モノ（Ｃ1-4アルキル）アミノ基であり、このＣ1-4アルキル基は未置換であるか又はハロゲン、Ｃ1-4アルコキシ、Ｃ1-4アルキル、フェニルもしくはヒドロキシで一置換しており；脂肪族、環式脂肪族、芳香族もしくは複素環ジ（Ｃ1-4アルキル）アミノ基、このＣ1-4アルキル基は独立に未置換であるか又はハロゲン、Ｃ1-4アルキル、Ｃ1-4アルコキシ、フェニルもしくはヒドロキシで一置換しており；Ｃ5-6シクロアルキルアミノ基、このシクロアルキル基は未置換であるか又は１もしくは２個のＣ1-2アルキル基で置換しており；フェニルアミノ基、このフェニル環は未置換であるか又はハロゲン、Ｃ1-4アルキル、Ｃ1-4アルコキシ、ヒドロキシ及びフェノキシより選ばれる１もしくは２個の基で置換しており；又はＮ、ＯもしくはＳに加えて１もしくは２個のヘテロ原子を含む５もしくは６員環、この複素環は未置換であるか又は１もしくは２個のＣ1-4アルキル基で置換しており；又は基Ｚであり、このＺは独立に下式
【化３】
2004518794.tif 000003
より選ばれ、ここでｐは１、２もしくは３の整数であり、
各Ｒ9は独立に、水素；未置換Ｃ1-4アルキル又はヒドロキシ、ハロゲン、シアノもしくはＣ1-4アルコキシで一置換したＣ1-4アルキルであり、
各Ｒ2及びＲ3は独立に、水素；未置換Ｃ1-6アルキル；ヒドロキシ、アミノもしくはシアノで一置換したＣ2-6アルキル；フェニルもしくはフェニルＣ1-4アルキルであり、後者の２つの基のフェニル環は未置換であるか又は塩素、Ｃ1-4アルキル、Ｃ1-4アルコキシ、未置換Ｃ5-6シクロアルキルもしくは１〜３個のＣ1-4アルキル基で置換されたＣ5-6シクロアルキル、又はピリジニウム環より選ばれる１〜３個の基で置換されており、
Ｒ2及びＲ3はそれらが結合している窒素原子と共に、１〜３個のヘテロ原子を含む５もしくは６員環を形成し、この複素環は未置換であるか又は１〜２個のＣ1-4アルキル基で置換しており、
各Ｒ4及びＲ5は独立に、水素以外のＲ2及びＲ3の意味の１つを有し、
Ｒ6はＣ1-4アルキル又はベンジルであり、但しＲ4及びＲ5がＲ2及びＲ3の環の１つを示す場合にＲ6はベンジルではなく、又は
Ｒ4、Ｒ5及びＲ6はそれらが結合している窒素原子と共に、未置換又は１もしくは２個のメチル基で置換しているピリジニウム環を形成し、
Ｑ1はＣ2-8アルキレン；１もしくは２個のヒドロキシ基で置換したＣ3-6アルキレン；Ｃ1-6アルキレン-1,3-もしくは1,4-フェニレン、又は-*ＮＨＣＯＣＨ2であり、ここで＊は−ＮＲ9に結合した原子を示し、
Ｑ2はＣ2-8アルキレン；１もしくは２個のヒドロキシル基で置換したＣ3-6アルキレン；Ｃ1-6アルキレン-1,3-もしくは-1,4-フェニレン又は1,3-もしくは1,4-フェニレンであり、
Ｑ3はＣ2-8アルキレンであり、
Ｒ7は水素；未置換Ｃ1-6アルキル又はヒドロキシ、シアノ、塩素もしくはフェニルで一置換したＣ1-6アルキルであり、
Ｒ8は未置換Ｃ1-6アルキル又はヒドロキシ、シアノもしくは塩素で一置換したＣ1-6アルキルであり、そして
Ａ-は非発色アニオンであり、
Ｙは直接結合、−ＣＯ−又は−ＣＯ−ＮＨ*-であり、＊はベンゼン環への結合を示し、
ｏは０又は１であり、又は
ＣＣは下式(b)の部分であり、
【化４】
2004518794.tif 000004
ここでＤは塩基性基−ＮＲ1-Ｑ4-ＮＲ2Ｒ3又はカチオン基−ＮＲ1-Ｑ4-Ｎ*Ｒ4Ｒ5Ｒ6であり、Ｒ1、Ｒ2、Ｒ3、Ｒ4、Ｒ5及びＲ6は上記と同じ意味を有し、
Ｑ4は−Ｏ−、−Ｓ−又は−Ｎ(Ｒ1)−で中断していてもよいＣ2-6アルキレン；１もしくは２個のヒドロキシ基で置換しているＣ2-3アルキレン；又は-*ＮＨＣＯＣＨ2-であり、この＊は−ＮＲ1−基に結合している原子を示し、又は
ＣＣは式（ｃ1)又は（ｃ2)の部分であり、
【化５】
2004518794.tif 000005
ここで各Ｒ10は独立に、Ｈ；Ｃ1-4アルキル；Ｃ5-6シクロアルキル；フェニル、ベンジル又はフェニルエチルであり、
各Ｒ10'は独立に、Ｈ；−ＯＨ又はＣ1-4アルキルであり、
各Ｔ1は独立に、Ｈ；−ＣＮ；−ＣＯＯＲ15；ＣＯＮＲ16Ｒ17；ＳＯ2ＮＲ16Ｒ17；
【化６】
2004518794.tif 000006
であり、
ＧはＨ；−Ｒ11ＮＨＲ12又は−Ｒ11ＮＲ13Ｒ14であり、
ここでＲ11はＣ1-6アルキレン又はＣ2-6アルケニレンを表し、
Ｒ12及びＲ13は独立に、Ｈ；未置換Ｃ1-6アルキル；ＯＨ、ＣＮ又はハロゲンで置換したＣ2-6アルキル；フェニルＣ1-3アルキル、このフェニル基は所望により、塩素、Ｃ1-4アルキルもしくはＣ1-4アルコキシを含む置換基の群からの置換基で１〜３回置換しており；未置換Ｃ5-6シクロアルキル又はＣ1-4アルキル基で１〜３回置換しているＣ5-6シクロアルキルであり、
Ｒ14はＲ12もしくはＲ13の意味又は水素のいずれかを表し、
Ｒ15はＣ1-6アルキル基又はフェニルＣ1-3アルキル基を表し、
Ｒ16及びＲ17は独立に、Ｈ又はＣ1-4アルキル基であり、
Ｒ18は独立に、Ｈ；Ｃ1-4アルキル基；−ＮＲ16Ｒ17-(ＣＨ2)2-4-ＮＲ16Ｒ17又は−ＣＯＮＲ16Ｒ17を表し、
Ｒ19はＣ1-4アルキル基又はヒドロキシＣ1-4アルキル基を表し、
Ｒ20は−Ｓ−又は−Ｏ−を表し、
Ｒ21は水素又はＣ1-4アルキル基を表し、
Ａｎ-は非発色アニオンであり、
但し、(i)ｎ’、ｎ”及びｍの合計はＢの原子価と等しく、
(ii)ｎ’とｎ”の合計が２である場合にはｍは１以上であり、
(iii)ｎ’とｎ”の合計が３であり、Ａ＝ＮＨである場合にはｍは１以上である）
【請求項２】  Ａが−Ｏ−を表すことを特徴とする、請求項１に記載の化合物。
【請求項３】  ＣＣが下式（ｃ2）又は（ａ1）を有することを特徴とする、請求項１又は２に記載の化合物。
【化７】
2004518794.tif 000007
（上式中、Ｒ10はＨ；−ＣＨ3又は−ＣＨ2ＣＨ3を表し、
Ｔ1はＨ；−ＣＮ；−ＣＯＮＨ2；−ＣＯＮＨＣＨ3；
【化８】
2004518794.tif 000008
を表し、
Ｒ10'はＨ；−ＣＨ3又は−ＯＨを表し、
ＧはＨ又は-(ＣＨ2)2-4ＮＲ13Ｒ14を表し、
Ｒ13及びＲ14は独立に、Ｈ；−ＣＨ3又は−ＣＨ2ＣＨ3である）、又は
【化９】
2004518794.tif 000009
（上式中、各Ｒ1は独立に、Ｈ；−ＣＨ3；−ＣＨ2ＣＨ3又は置換したＣ1-4アルキルであり、
Ｘ1及びＸ2は独立に、ハロゲン又は−ＮＲ2Ｒ3であり、
Ｒ2及びＲ3は独立に、Ｈ；Ｃ1-4アルキル；Ｃ2-4アルキレン-ＮＨ2又はＣ2-4アルキレン-ＯＨであり、
Ｙは直接結合；−ＣＯ−又は−ＣＯ−ＮＨ−*を表し、＊はベンゼン環に結合していることを表し、
ｏは０又は１である）
【請求項４】  下式(Ia)の化合物。
【化１０】
2004518794.tif 000010
（上式中、ＣＣは式（ａ1)又は（ｃ2)の部分であり、
【化１１】
2004518794.tif 000011
上式中、Ｒ10はＨ；−ＣＨ3又は−ＣＨ2ＣＨ3を表し、
Ｔ2はＨ；−ＣＮ；−ＣＯＮＨ2；−ＣＯＮＨＣＨ3；
【化１２】
2004518794.tif 000012
を表し、
Ｒ10'はＨ；−ＣＨ3又は−ＯＨを表し、
ＧはＨ又は-(ＣＨ2)2-4ＮＲ13Ｒ14を表し、
Ｒ13及びＲ14は独立に、Ｈ；−ＣＨ3又は−ＣＨ2ＣＨ3であり、
【化１３】
2004518794.tif 000013
上式中、各Ｒ1は独立に、Ｈ；−ＣＨ3；−ＣＨ2ＣＨ3又は置換したＣ1-4アルキルであり、
Ｘ1及びＸ2は独立に、ハロゲン又は−ＮＲ2Ｒ3であり、
Ｒ2及びＲ3は独立に、Ｈ；Ｃ1-4アルキル；Ｃ2-4アルキレン-ＮＨ2又はＣ2-4アルキレン-ＯＨであり、
Ｙは直接結合；−ＣＯ−又は−ＣＯ−ＮＨ−*を表し、＊はベンゼン環に結合していることを表し、
ｏは０又は１であり、
ｎ”は１、２、３又は４であり、
但し、ｎ”が１である場合、Ｂ”はＣ(ＣＨ2ＯＨ)3であり、
ｎ”が２である場合、Ｂ”はＣ(ＣＨ2ＯＨ)2であり、
ｎ”が３である場合、Ｂ”はＣ(ＣＨ2ＯＨ)であり、
ｎ”が４である場合、Ｂ”はＣ；-[-(ＣＨ2)1-4-Ｏ-(ＣＨ2)1-4]4Ｃ；
[-(ＣＨ2)1-3-Ｏ-(ＣＨ2)1-3-Ｏ-(ＣＨ2)1-3]4Ｃ；
[-(ＣＨ2)1-2-Ｏ-(ＣＨ2)1-2-Ｏ-(ＣＨ2)1-2-Ｏ-(ＣＨ2)1-2]4Ｃ；又は
[-(ＣＨ2)1-4]2Ｎ(ＣＨ2)1-4Ｎ[(-ＣＨ2)1-4]2
である）
【請求項５】  Ｂ”がＣ(ＣＨ2ＯＨ)3であり、ｎ”が１である式(Ia)の少なくとも１種の化合物、及びＢ”がＣ(ＣＨ2ＯＨ)2であり、ｎ”が２である式(Ia)の少なくとも１種の化合物、及びＢ”がＣ(ＣＨ2ＯＨ)であり、ｎ”が３である式(Ia)の少なくとも１種の化合物、及びＢ”がＣであり、ｎ”が４である、請求項４記載の式(Ia)の少なくとも１種の化合物を含む混合物。
【請求項６】  式(I)又は式(Ia)の少なくとも１種の化合物を含む化合物の混合物。
【請求項７】  繊維材料を染色もしくは捺染するため又は紙を染色もしくは捺染するための、請求項１〜６のいずれか１項に記載の化合物及び／又は混合物の使用。
【請求項８】  請求項１〜６のいずれか１項に記載の化合物及び／又は混合物により染色もしくは捺染された材料。
【請求項９】  請求項１〜４のいずれか１項に記載の化合物及び／又は請求項５に記載の混合物を含むインクジェットインク。
【請求項１０】  請求項１〜４のいずれか１項に記載の化合物及び／又は請求項５又は６に記載の混合物を用いることを特徴とする、インクジェットインクの製造方法。
【請求項１１】  式(I)のアゾ化合物の製造方法であって、下式(II)
【化１４】
2004518794.tif 000014
の化合物のジアゾニウム塩もしくはこのジアゾニウム塩の混合物を、式ＣＣの部分を含む好適なカップリング成分又は式ＣＣの部分を含む好適なカップリング成分の混合物（ここでＢ及びＣＣは請求項１又は４に規定の意味を有する）と反応させることを含む方法。
【請求項１２】  下式(II)の化合物及びその塩及び／又はその混合物。
【化１５】
2004518794.tif 000015
（上式中、Ｂは、
-[-(ＣＨ2)1-4-Ｏ-(ＣＨ2)1-4]4Ｃ、又は
[-(ＣＨ2)1-3-Ｏ-(ＣＨ2)1-3-Ｏ-(ＣＨ2)1-3]4Ｃ、又は
[-(ＣＨ2)1-2-Ｏ-(ＣＨ2)1-2-Ｏ-(ＣＨ2)1-2-Ｏ-(ＣＨ2)1-2]4Ｃ、又は
[-(ＣＨ2)1-4]2Ｎ(ＣＨ2)1-4Ｎ[(-ＣＨ2)1-4]2
より選ばれる基であり、
Ａは独立に−ＮＨ−又は−Ｏ−を表し、
ｍ及びｎは自然数であり、
但し、(i)ｎとｍの合計はＢの原子価以下であり、
(ii)ｎが２である場合、ｍは１以上であり、
(iii)ｎが３でありかつＸがＮＨである場合、ｍは１以上である）
【請求項１３】  Ａが−Ｏ−を表すことを特徴とする、請求項１２記載の化合物。